(57)【要約】【課題】従来の火災受信機では、火災とガス漏れついての情報が同じような形態で表示しているので、それらを区別することが難しいという課題があった。【解決手段】火災発生の情報、及び火災発生以外の情報を表示する表示操作部１２と、前記表示操作部に前記火災発生の情報を表示する際に、前記火災発生の情報、及び前記火災発生以外の情報を区別する炎マーク１２１を、前記火災発生の情報であるアドレスの頭部に表示する制御部１１とを設けた。【効果】その他の情報よりも火災発生の情報に注目させることができる。【選択図】        図３
2004259008.tif 000002
【特許請求の範囲】
【請求項１】
火災発生の情報、及び火災発生以外の情報を表示する表示操作部と、
前記表示操作部に前記火災発生の情報を表示する際に、前記火災発生の情報、及び前記火災発生以外の情報を区別する所定のマークを、前記火災発生の情報である文字の近傍に表示する制御部と
を備えたことを特徴とする火災受信機。
【請求項２】
前記制御部は、前記所定のマークとして、２つの形状を交互に動的に表示する
ことを特徴とする請求項１記載の火災受信機。
【請求項３】
前記制御部は、前記所定のマークとして、文字表示のための１文字の大きさの形状を２つ以上組み合わせて大きく表示する
ことを特徴とする請求項１記載の火災受信機。
【請求項４】
前記制御部は、前記火災発生の情報として、アドレスと、端末名称、状態又は補助メッセージのうちの少なくとも１つとを表示するとともに、前記所定のマークを前記アドレスの頭部に表示する
ことを特徴とする請求項１から請求項３までのいずれかに記載の火災受信機。
【発明の詳細な説明】
【０００１】
【発明の属する技術分野】
この発明は、液晶ディスプレイ（ＬＣＤ：Ｌｉｑｕｉｄ  Ｃｒｙｓｔａｌ  Ｄｉｓｐｌａｙ）等の表示装置に、文字表示によって情報等を詳細表示する際に、火災情報については『炎マーク』をつけて表示し、文字列の中で火災の情報に注意を喚起する火災受信機に関するものである。
【０００２】
【従来の技術】
従来の火災受信機は、次頁切り換えスイッチ又は前頁切り換えスイッチが通常と異なる態様に変化して、次頁又は前頁にもイベントが存在することを知らせる。さらに、画面に、各イベントのメッセージとは別に、火災とガス漏れについての発生総数を常時表示する（例えば、特許文献１参照）。
また、従来の防災表示装置は、火災第１報、第２報に対応するシンボルを他のシンボルと瞬時に見分けることができる（例えば、特許文献２参照）。
【０００３】
【特許文献１】
特開平１０−３１７９４号公報（第１頁、図１）
【特許文献２】
特開平１１−７５９１号公報（第１頁、図１）
【０００４】
【発明が解決しようとする課題】
上述したような従来の火災受信機では、火災とガス漏れについての情報が同じような形態で表示しているので、それらを区別することが難しいという問題点があった。
【０００５】
この発明は、上述のような課題を解決するためになされたもので、その目的は、その他の情報よりも火災発生の情報に注目させることができる火災受信機を得るものである。
【０００６】
【課題を解決するための手段】
この発明に係る火災受信機は、火災発生の情報、及び火災発生以外の情報を表示する表示操作部と、前記表示操作部に前記火災発生の情報を表示する際に、前記火災発生の情報、及び前記火災発生以外の情報を区別する所定のマークを、前記火災発生の情報である文字の近傍に表示する制御部とを備えたものである。
【０００７】
また、この発明に係る火災受信機は、前記制御部が、前記所定のマークとして、２つの形状を交互に動的に表示するものである。
【０００８】
また、この発明に係る火災受信機は、前記制御部が、前記所定のマークとして、文字表示のための１文字の大きさの形状を２つ以上組み合わせて大きく表示するものである。
【０００９】
さらに、この発明に係る火災受信機は、前記制御部が、前記火災発生の情報として、アドレスと、端末名称、状態又は補助メッセージのうちの少なくとも１つとを表示するとともに、前記所定のマークを前記アドレスの頭部に表示するものである。
【００１０】
【発明の実施の形態】
実施の形態１．
この発明の実施の形態１に係る火災受信機について図面を参照しながら説明する。図１は、この発明の実施の形態１に係る火災受信機を含む火災報知システムの構成を示す図である。なお、各図中、同一符号は同一又は相当部分を示す。
【００１１】
図１において、火災報知システムは、火災受信機１０と、この火災受信機１０に信号線Ｌ１を通じて接続された中継器２０と、この中継器２０に感知器回線Ｌ２を通じて接続された複数の感知器（Ｓ）３０とから構成されている。さらに、火災受信機１０には、信号線Ｌ１を通じて感知器３０等のその他の端末機器が接続されている。
【００１２】
また、図１において、火災受信機１０は、制御部１１と、表示操作部１２と、記憶部１３と、送受信部１４とから構成されている。この制御部１１は、ＣＰＵ、タイマー等を含む。また、表示操作部１２は、ＬＣＤ等の表示装置１２Ａ（図３参照）を含む。さらに、記憶部１３は、データベース１３Ａを含む。
【００１３】
さらに、図１において、中継器２０は、制御部２１と、送受信部２２と、信号受信部２３と、送受信部２４とから構成されている。この制御部２１は、ＣＰＵ、タイマー等を含む。また、送受信部２２は、信号線Ｌ１を通じて火災受信機１０と接続されている。さらに、信号受信部２３及び送受信部２４は、感知器回線Ｌ２を通じて複数の感知器３０に直列に接続されている。
【００１４】
感知器３０は、例えば、一般型感知器（オンオフ型）とＡＴＦ（自動試験機能付）感知器が混在して接続されている。ＡＴＦ感知器は、試験情報収集のための伝送信号の送受信を行う。なお、ＡＴＦ感知器からの火災信号は、一般型感知器と同じようにオンオフ信号であり、中継器２０の信号受信部２３で受信される。つまり、ＡＴＦ感知器からの火災信号は、伝送信号ではなく、いわゆるスイッチング動作を行い、感知器回線を低インピーダンス状態とする。
【００１５】
図２は、この発明の実施の形態１に係る火災受信機のデータベースの構成例を示す図である。
【００１６】
図２において、データベース１３Ａは、アドレス１３１と、端末名称１３２と、メッセージ１３３と、枝番１３４とを備えて構成されている。アドレス１３１は、信号線Ｌ１に接続される中継器２０、感知器３０等の端末機器に個別に付与される００１、００２などの番号である。端末名称１３２は、中継器、感知器等が該当し、各種の機種を実際には簡略的なコードで設定している。これらの項目以外に、連動設定、感度設定、蓄積有無など、個々の端末に必要なデータ設定が、データベース１３Ａに行われる。メッセージ１３３は、「地下１階  １番  駐車場」等の設置場所を表わすための文字列で、最大１６文字である。
【００１７】
図３は、この発明の実施の形態１に係る火災受信機の表示装置の表示画面例を示す図である。
【００１８】
図３において、火災時の表示内容例を示し、表示装置１２Ａの左３分の２における最上段ｄ１は、火災情報を表示する領域であり、最上段ｄ１の左側は、アドレス１３１が００８で、端末名称１３２が中継器（ＡＴＦ感知器対応の中継器は「感知器」と表示するようにしている）で、メッセージ１３３に「地下１階  １番  駐車場」が設定されている。さらに、炎マーク１２１が表示されている。
【００１９】
また、図３において、最上段ｄ１の右側は、アドレス１３１が０４０で、端末名称１３２が同様の中継器で、メッセージ１３３として「地下１階  １番  倉庫」が表示されている。また、炎マーク１２１が表示されている。
【００２０】
さらに、図３において、表示装置１２Ａの左３分の２における第２段ｄ２は、火災以外の情報を表示する領域であり、第２段ｄ２の左側は、アドレス１３１が１２５で、端末名称１３２が地区音響で、メッセージ１３３として「地下１階  １番  駐車場」が表示されている。なお、図３では用いていないが、表示装置１２Ａの左３分の２における第３段ｄ３は、ガス漏れ警報の情報を表示する領域であり、表示の領域として情報の区別が行われており、利用者の便を図っている。
【００２１】
この発明の実施の形態１に係る火災受信機１０は、盤面に設けられた表示装置１２Ａにより、火災発生の情報、及び火災発生以外の情報を区別する炎や煙などの所定のマーク１２１を、上記火災発生の情報を示す文字の近傍に表示するものである。
【００２２】
また、この発明の実施の形態１に係る火災受信機１０は、以下に示すように、上記所定のマーク１２１として、２つの形状（フォント）を交互に表示して動的に表示するものである。
【００２３】
さらに、この発明の実施の形態１に係る火災受信機１０は、上記火災発生の情報として、アドレス１３１と、端末名称１３２と、状態（発報など）またはメッセージ１３３のうちの１つ、あるいは組み合わせから構成され、上記所定のマーク１２１をアドレス１３１の頭部に表示するものである。
【００２４】
つぎに、この実施の形態１に係る火災受信機の動作について図面を参照しながら説明する。
【００２５】
図４は、この発明の実施の形態１に係る火災受信機の炎マーク表示動作を示すフローチャートである。
【００２６】
また、図５は、この発明の実施の形態１に係る火災受信機の炎マークの形状（フォント）を示す図である。
【００２７】
図５において、（ａ）に示す炎マークの形状（フォント）は、右上方に炎が揺らいでいる様子を表している。また、（ｂ）に示す炎マークの形状（フォント）は、左上方に炎が揺らいでいる様子を表している。
【００２８】
図４のステップ１００において、火災受信機１０の制御部１１は、感知器３０から中継器２０を介して送られてくる火災発生信号を受信すると、表示操作部１２に含まれる表示装置１２Ａに、図３に示すように、火災発生の文字情報等を表示する。
【００２９】
次に、ステップ１０１において、制御部１１は、火災発生の文字情報等を表示装置１２Ａに表示する際に、図３に示すように、図５（ａ）の炎マークを表示する。
【００３０】
次に、ステップ１０２において、タイマーが０．５秒経過したかどうかを判断する。０．５秒経過していないときは、ステップ１０１へ戻り、再度、図５（ａ）の炎マークを表示する。０．５秒経過したときには、タイマーをリセットして次のステップ１０３へ進む。
【００３１】
次に、ステップ１０３において、制御部１１は、表示装置１２Ａに、図５（ｂ）の炎マークを表示する。
【００３２】
次に、ステップ１０４において、タイマーが０．５秒経過したかどうかを判断する。０．５秒経過していないときは、ステップ１０３へ戻り、再度、図５（ｂ）の炎マークを表示する。０．５秒経過したときには、タイマーをリセットしてステップ１０１へ戻る。
【００３３】
こうして、異なる２つの炎マークを０．５秒毎に表示するので、炎が動いているように見え、注意を促すことができる。
【００３４】
この発明の実施の形態１に係る火災受信機１０は、火災発生の情報についての文字表示に、炎マーク１２１のような所定のマークを表示することによって、その他の情報よりも火災発生の情報に注目させることができる。
【００３５】
また、この発明の実施の形態１に係る火災受信機１０は、所定のマークとして、１つの炎マークを左右に形状を反転させた２つの炎マークを用意して、これら２つの炎マークを０．３秒、０．５秒、１秒や、１．５秒毎に交互に表示することにより、炎が揺らいでいるように見え、動的に表示するので、単なるマークの表示よりも注意を引くことができる。なお、上記の交互に表示する時間は、炎が揺らいでいるように、動的に見える時間であればよい。
【００３６】
さらに、この発明の実施の形態１に係る火災受信機１０は、文字表示のうちアドレスの部分は数字のみを表示し、マークを付けることによって、他の情報のアドレス表示とマークの有無を顕著とすることができる。
【００３７】
実施の形態２．
この発明の実施の形態２に係る火災受信機について図面を参照しながら説明する。この発明の実施の形態２に係る火災受信機の構成は、上記実施の形態１と同様である。
【００３８】
この発明の実施の形態２に係る火災受信機は、所定のマークとして、文字表示のための１文字の大きさの形状を２つ以上、例えば４文字分の大きさを組み合わせて大きく表示するものである。
【００３９】
つぎに、この実施の形態２に係る火災受信機の動作について図面を参照しながら説明する。
【００４０】
図６は、この発明の実施の形態２に係る火災受信機の炎マーク表示動作を示すフローチャートである。
【００４１】
また、図７は、この発明の実施の形態２に係る火災受信機の炎マークの形状（フォント）を示す図である。
【００４２】
図７において、（ａ）に示す炎マークの形状（フォント）は、４文字の領域のうち、左下の１文字の領域に炎が揺らいでいる様子を表している。また、（ｂ）に示す炎マークの形状（フォント）は、４文字の領域のうち、下の２文字の領域に炎が揺らいでいる様子を表している。さらに、（ｃ）に示す炎マークの形状（フォント）は、４文字の領域に炎が揺らいでいる様子を表している。
【００４３】
図６のステップ２００において、火災受信機１０の制御部１１は、感知器３０から中継器２０を介して送られてくる火災発生信号を受信すると、表示操作部１２に含まれる表示装置１２Ａに、図３に示すように、火災発生の文字情報等を表示する。
【００４４】
次に、ステップ２０１において、制御部１１は、火災発生の文字情報等を表示装置１２Ａに表示する際に、アドレス１３１の頭部等に、図７（ａ）の炎マークを表示する。
【００４５】
次に、ステップ２０２において、タイマーが０．５秒経過したかどうかを判断する。０．５秒経過していないときは、ステップ２０１へ戻り、再度、図７（ａ）の炎マークを表示する。０．５秒経過したときには、タイマーをリセットして次のステップ２０３へ進む。
【００４６】
次に、ステップ２０３において、制御部１１は、表示装置１２Ａに、図７（ｂ）の炎マークを表示する。
【００４７】
次に、ステップ２０４において、タイマーが０．５秒経過したかどうかを判断する。０．５秒経過していないときは、ステップ２０３へ戻り、再度、図７（ｂ）の炎マークを表示する。０．５秒経過したときには、タイマーをリセットしてステップ２０５へ進む。
【００４８】
次に、ステップ２０５において、制御部１１は、表示装置１２Ａに、図７（ｃ）の炎マークを表示する。
【００４９】
次に、ステップ２０６において、タイマーが０．５秒経過したかどうかを判断する。０．５秒経過していないときは、ステップ２０５へ戻り、再度、図７（ｃ）の炎マークを表示する。０．５秒経過したときには、タイマーをリセットしてステップ２０１へ戻る。
【００５０】
こうして、大きさが異なる３つの炎マークを０．５秒毎に表示するので、炎が広がっているように見え、注意を促すことができる。また、上記実施の形態１に係る炎マークのように、０．３〜１．５秒毎に異なる炎マークを表示してもよく、さらに炎が広がるマークと反転して揺らぐマークとを組み合わせて順次表示するようにしてもよい。そして、それぞれ表示する時間について一定にする必要はなく、ランダムな時間としてよい。
【００５１】
この発明の実施の形態２に係る火災受信機１０は、文字表示のための１文字の大きさの形状を２つ以上組み合わせて、例えば、４文字分の範囲に炎マークを大きく表示することによって、単なるマークの表示よりも注意を引くことができる。なお、所定のマークとして、炎について説明したが、危険の迫るドクロのマークや刀のマーク等に応用することもできる。
【００５２】
【発明の効果】
この発明に係る火災受信機は、以上説明したとおり、火災発生の情報、及び火災発生以外の情報を表示する表示操作部と、前記表示操作部に前記火災発生の情報を表示する際に、前記火災発生の情報、及び前記火災発生以外の情報を区別する所定のマークを、前記火災発生の情報である文字の近傍に表示する制御部とを備えたので、その他の情報よりも火災発生の情報に注目させることができるという効果を奏する。
【００５３】
また、この発明に係る火災受信機は、以上説明したとおり、前記制御部が、前記所定のマークとして、２つの形状を交互に動的に表示するので、炎が揺らいでいるように見え、動的に表示するので、単なるマークの表示よりも注意を引くことができるという効果を奏する。
【００５４】
また、この発明に係る火災受信機は、以上説明したとおり、前記制御部が、前記所定のマークとして、文字表示のための１文字の大きさの形状を２つ以上組み合わせて大きく表示するので、単なるマークの表示よりも注意を引くことができるという効果を奏する。
【００５５】
さらに、この発明に係る火災受信機は、以上説明したとおり、前記制御部が、前記火災発生の情報として、アドレスと、端末名称、状態又は補助メッセージのうちの少なくとも１つとを表示するとともに、前記所定のマークを前記アドレスの頭部に表示するので、他の情報のアドレス表示とマークの有無を顕著とすることができるという効果を奏する。
【図面の簡単な説明】
【図１】この発明の実施の形態１に係る火災受信機を含む火災報知システムの構成を示す図である。
【図２】この発明の実施の形態１に係る火災受信機のデータベースの構成例を示す図である。
【図３】この発明の実施の形態１に係る火災受信機の表示装置の表示画面例を示す図である。
【図４】この発明の実施の形態１に係る火災受信機の炎マーク表示動作を示すフローチャートである。
【図５】この発明の実施の形態１に係る火災受信機の炎マークの形状（フォント）を示す図である。
【図６】この発明の実施の形態２に係る火災受信機の炎マーク表示動作を示すフローチャートである。
【図７】この発明の実施の形態２に係る火災受信機の炎マークの形状（フォント）を示す図である。
【符号の説明】
１０  火災受信機、１１  制御部、１２  表示操作部、１３  記憶部、１４  送受信部、２０  中継器、２１  制御部、２２  送受信部、２３  信号受信部、２４  送受信部、３０  感知器。
【図１】
2004259008.tif 000003
【図２】
2004259008.tif 000004
【図３】
2004259008.tif 000005
【図４】
2004259008.tif 000006
【図５】
2004259008.tif 000007
【図６】
2004259008.tif 000008
【図７】
2004259008.tif 000009